(57)【特許請求の範囲】
【請求項１】
上ケースと下ケースとで成るケース本体と、前記下ケース内に載置される電線の素線を上方から圧着して固定する素線固定金具と、この素線固定金具を常時下方に押し下げる押えバネを備えた端子台であって、
前記上ケースは、被覆を剥いて前記素線を露出させた前記電線を、側面方向から挿通可能に電線挿入穴が形成されており、
前記下ケースは、前記上ケースと対向する表面にすり鉢状を呈するとともに電導性を有した端子台導体が形成され、前記素線が前記すり鉢状に這うように載置され、
前記素線固定金具は、前記下ケースの前記端子台導体に這わせた状態の前記素線を上方から圧着し、
前記素線固定金具は、絶縁ツマミと、この絶縁ツマミの下方に連接する軸部と、この軸部の下方に連接する回転抑制部と、この回転抑制部の下方に連接する素線押え部から成り、
前記絶縁ツマミは、ユーザーが前記素線固定金具を約９０度回転可能に指で摘めるように形成されており、
前記素線固定金具には、前記軸部の前記絶縁ツマミ側の端部近傍に、断面が略三角錐状の押えネジが、前記軸部の一周り分程度、形成されていることを特徴とする端子台。
【請求項２】
前記上ケースには、前記電線挿入穴と直交する方向に前記軸部を挿通するための軸穴が形成され、この軸穴の開口近傍には、前記押えネジと嵌め合う押えネジガイドが前記軸穴の一周り分程度、形成されており、
前記軸穴に連通して前記押えバネが介装される押えバネ収納部が形成され、この押えバネ収納部に、前記回転抑制部が嵌入可能であることを特徴とする請求項１に記載の端子台。
【請求項３】
前記上ケースは、前記押えバネを収容する押えバネ収納部が形成され、
前記回転抑制部と前記押えバネ収納部は、いずれも断面が非円形で、かつ相似する形状を呈しており、前記回転抑制部が前記押えバネ収納部に入り込むと、前記素線固定金具の回転を抑止することができることを特徴とする請求項２に記載の端子台。
【発明の詳細な説明】
【技術分野】
【０００１】
本発明は、電線の素線を差し込んで使用する端子台に関するものである。
【背景技術】
【０００２】
従来、端子台においては、電線の被覆を剥き、端子を素線に圧着し端子台にネジで固定している。
【先行技術文献】
【特許文献】
【０００３】
【特許文献１】特開２００９−１７０２０７号公報
【発明の概要】
【発明が解決しようとする課題】
【０００４】
従来の結線作業は、電線の被覆を剥き圧着端子を素線に圧着し端子台にネジで締め付け固定するため手間がかかった。また、稀にネジが緩み、接触不良による焼損や設備の誤動作等が発生することから、確実に締付けられていることを確認する為、複数回の締付けを行う必要があった。
【０００５】
そこで、本発明は上記のような課題を解決するためになされたものであり、盤内の端子台に電線を接続する作業において、電線接続部に圧着端子を取付けることなく容易に接続作業及び締付け確認が実施できる端子台を提供する。
【課題を解決するための手段】
【０００６】
本発明の一態様によれば、上ケースと下ケースとで成るケース本体と、前記下ケース内に載置される電線の素線を上方から圧着して固定する素線固定金具と、この素線固定金具を常時下方に押し下げる押えバネを備えた端子台であって、前記上ケースは、被覆を剥いて前記素線を露出させた前記電線を、側面方向から挿通可能に電線挿入穴が形成されており、前記下ケースは、前記上ケースと対向する表面にすり鉢状を呈するとともに電導性を有した端子台導体が形成され、前記素線が前記すり鉢状に這うように載置され、前記素線固定金具は、前記下ケースの前記端子台導体に這わせた状態の前記素線を上方から圧着し、前記素線固定金具は、絶縁ツマミと、この絶縁ツマミの下方に連接する軸部と、この軸部の下方に連接する回転抑制部と、この回転抑制部の下方に連接する素線押え部から成り、前記絶縁ツマミは、ユーザーが前記素線固定金具を約９０度回転可能に指で摘めるように形成されており、前記素線固定金具には、前記軸部の前記絶縁ツマミ側の端部近傍に、断面が略三角錐状の押えネジが、前記軸部の一周り分程度、形成されていることを特徴とする。
【発明の効果】
【０００７】
本発明によれば、盤内の端子台に電線を接続する作業において、電線接続部に圧着端子を取付けることなく容易に接続作業及び締付け確認が実施できる。
【図面の簡単な説明】
【０００８】
【図１】本発明の実施形態に係る端子台の概略構成を示す図である。
【図２】図１に示す端子台のＡ−Ａに沿った略断面を示す図である。
【図３】素線固定金具の斜視図である。
【発明を実施するための形態】
【０００９】
以下、本発明の実施形態について、図面を参照して説明する。尚、各図において同一箇所については同一の符号を付すとともに、重複した説明は省略する。
【００１０】
図１は、本発明の実施形態に係る端子台１００の概略構成を示す図である。図２は、図１に示す端子台１００のＡ−Ａに沿った略断面を示す図である。図１、図２に示すように、本実施形態に係る端子台１００は、大別すると、素線固定金具１、上ケース２、下ケース３および押えバネ７で構成されている。
【００１１】
上ケース２は、下ケース３とペアになってケース本体を成し、側面方向から電線５を挿通可能に電線挿入穴４が形成されている。さらに、上ケース２には、電線挿入穴４と直交する方向に素線固定金具１の軸部１２（後述する）を挿通するための軸穴２ａが形成されている。軸穴２ａの開口近傍には、押えネジ１５（後述する）と嵌め合う押えネジガイド１０が軸穴２ａの一周り分程度、形成されている。さらに、軸穴２ａに連通して押えバネ収納部８が形成されている。押えバネ収納部８には、後述する押えバネ７が介装されるとともに、後述する回転抑制部１３が嵌入するようになっている。回転抑制部１３と押えバネ収納部８は、いずれも断面が非円形で、かつ相似する形状を呈している。回転抑制部１３が押えバネ収納部８に嵌入すると、素線固定金具１の回転を抑止する。
【００１２】
下ケース３は、上ケース２とペアになってケース本体を成し、上ケース２と対向する表面にすり鉢状の端子台導体９が形成されている。この端子台導体９は電導性を有しており、電線５の素線６がすり鉢状に這うように載置される。
【００１３】
素線固定金具１は、下ケース３の端子台導体９に這わせた状態の素線６を上方から圧着して、端子台導体９に押し付けるように固定するものである。図３は、素線固定金具１の斜視図である。図３に示すように、素線固定金具１は、絶縁ツマミ１１と、この絶縁ツマミ１１の下方に連接する軸部１２と、この軸部１２の下方に連接する回転抑制部１３と、この回転抑制部１３の下方に連接する素線押え部１４から構成されている。絶縁ツマミ１１は、ユーザーが素線固定金具１を約９０度回転可能に指で摘めるように形成されている。軸部１２の絶縁ツマミ１１側の端部近傍には、断面が略三角錐状の押えネジ１５が、軸部１２の一周り分程度、形成されている。
【００１４】
素線固定金具１の絶縁ツマミ１１を上方に引き上げると、電線挿入穴４が端子台内部まで開き、電線５の素線６を挿入できるようになる。
【００１５】
押えバネ７は、素線固定金具１の軸部１２と上ケース２の押えバネ収納部８間に介装され、常時、素線固定金具１を下方に押し下げる役割を果たす。押えバネ７は、例えば、圧縮コイルバネが好適である。
【００１６】
上述したように、素線固定金具１の回転抑制部１３と上ケース２の押えバネ収納部８は、いずれも断面が非円形で、かつ相似する形状を呈している。回転抑制部１３が押えバネ収納部８に入り込むと、素線固定金具１の回転を抑止することができる。
【００１７】
押えネジ１５を上ケース２の押えネジガイド１０に嵌め、絶縁ツマミ１１を回すと略９０°まで回転し、素線固定金具１は押えネジ１５と押えネジガイド１０の噛み合わせに伴い下方に押し下げられる。
【００１８】
この押えネジ１５と押えネジガイド１０が嵌まる位置は、丁度、素線固定金具１の回転抑制部１３が上ケース２の押えバネ収納部８から外れる位置と一致する。
【００１９】
素線押え部１４と端子台導体９は、図２に示すように、すり鉢状の形状となっている。
【００２０】
電線５の素線６を電線挿入穴４に挿入後、摘んでいた絶縁ツマミ１１を放すと、押えバネ７の作用により、素線６は素線押え部１４と端子台導体９に挟まれ密着する。
【００２１】
上ケース２と下ケース３は、例えばネジ１６で固定される。
【００２２】
端子台１００は、これら素線固定金具１、上ケース２、下ケース３および押えバネ７を一組として複数組を組み合わせて構成することができる。
【００２３】
＜動作＞
次に、以上のように構成した端子台の動作について説明する。
【００２４】
接続する電線５は先端の被覆を剥ぎ取って素線６が露出した状態とする。本実施形態では、素線６等に端子を圧着する必要はない。
【００２５】
素線固定金具１の絶縁ツマミ１１を上方に引き上げ、素線６を電線挿入穴４に入れて絶縁ツマミ１１を放すと、素線６は押えバネ７の圧力により素線固定金具１の素線押え部１４に上方から押され、端子台導体９に接触する。
【００２６】
更に上から絶縁ツマミ１１を押すと押えネジ１５が上ケース２の押えネジガイド１０に嵌り、略９０°回転させると素線固定金具１が更に下方向に移動し素線６と端子台導体９が十分な圧力で密着する。
【００２７】
この様に、絶縁ツマミ１１の引き上げ、素線６の挿入、絶縁ツマミ１１の回転からなる一連の操作によって、端子台に電線５を簡単・確実に接続できる。
【００２８】
素線６が電線挿入穴４に挿入された状態では、回転抑制部１３が押えバネ収納部８内にある為、絶縁ツマミ１１を回転させることは出来ない。絶縁ツマミ１１を上部から押すと、押えネジ１５が上ケース２の押えネジガイド１０に嵌ると同時に、回転抑制部１３が押えバネ収納部８の外に出て回転可能な状態となる。この状態で絶縁ツマミ１１を回転させると、押えネジガイド１０のストッパーにより押えネジ１５は略９０°までしか回転できず止まる。
【００２９】
本実施形態に係る構造により、絶縁ツマミ１１の向きで素線６と端子台導体９が十分な圧力で密着した状態であるかどうかを目視で判断できる為、従来実施していた固定ネジの締付け確認が不要となる。
【００３０】
素線６が電線挿入穴４に挿入すると、端子台１００の外部に充電部が露出しないことから、メンテナンス等の受電中での作業で感電するリスクを低減することができる。
【００３１】
また、素線６の固定作業は絶縁ツマミ１１の回動操作のみであることから、他の端子が充電中でも当該端子が無電圧であれば作業が可能となる。
【００３２】
素線押え部１４と端子台導体９が図２の様にすり鉢状の形状となっているので、素線６との接触面積を十分確保できる。また、開放状態では素線６の挿入・引き抜きを容易にし、締付け状態では容易に脱落しない様な構造となっている。
【００３３】
以上説明したように、本発明の実施形態によれば、盤内の端子台に電線を接続する作業において、容易に接続作業及び締付け確認が実施することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１００・・・端子台
１・・・素線固定金具
２・・・上ケース
３・・・下ケース
４・・・電線挿入穴
５・・・電線
６・・・素線
７・・・押えバネ
８・・・押えバネ収納部
９・・・端子台導体
１０・・・押えネジガイド
１１・・・絶縁ツマミ
１２・・・軸部
１３・・・回転抑制部
１４・・・素線押え部
１５・・・押えネジ
１６・・・ネジ
【図１】
0006294253.tif 000002
【図２】
0006294253.tif 000003
【図３】
0006294253.tif 000004